(57)【特許請求の範囲】
【請求項１】
主本体、ノズル及び把持可能なハンドルを含むポータブル掃除用器具において、ノズルとハンドルが各々主本体との関係において、主本体に隣接する第１の保管位置とノズルとハンドルが主本体から延在している第２の使用時位置との間で移動可能であるポータブル掃除用器具であって、使用時にノズル及びハンドルのうちの一方の第１及び第２の位置の間での動作によって、ノズルとハンドルのうちの他方のものの第１及び第２の位置の間での対応する連成動作が引き起こされるような形で配置されたリンケージ部材によってノズルとハンドルが連結されている、ポータブル掃除用器具。
【請求項２】
ノズル及びハンドルが各々、それぞれの回転軸を中心として主本体に対し枢動可能に連結されている、請求項１に記載のポータブル掃除用器具。
【請求項３】
リンケージ部材が、それぞれの回転軸の各々から半径方向に離隔された点においてノズルとハンドルの間で直接連結されている、請求項２に記載のポータブル掃除用器具。
【請求項４】
第１及び第２の位置のうち少なくとも１つにおいてノズルとハンドルを解除可能な形でロックするように操作可能であるユーザー操作可能なキャッチ機構をさらに含む、請求項１〜３のいずれか一項に記載のポータブル掃除用器具。
【請求項５】
弾性部材がリンケージ部材と主本体の間に連結され、キャッチ機構が解除された時点でノズルとハンドルを第１及び第２の位置のうちの１つに向かって付勢するように配置されている請求項４に記載のポータブル掃除用器具。
【請求項６】
リンケージ部材が、保持機構により互いとの関係において保持位置に解除可能な形で保持された第１及び第２の部分を含んでいる、請求項１〜５のいずれか一項に記載のポータブル掃除用器具。
【請求項７】
保持機構には、第１及び第２の部分の一方の上にある第１の保持要素と第１及び第２の部分の他方の上にある補足的な第２の保持要素とが含まれている、請求項６に記載のポータブル掃除用器具。
【請求項８】
前記第１の保持要素がリセスを含み、第２の保持要素がリセスと係合可能な突出部を含む、請求項７に記載のポータブル掃除用器具。
【請求項９】
保持機構は、第１及び第２の部分の間に加えられる力が規定の閾値を上回った場合に第１及び第２の部分を保持位置から解除してその間の相対的動作を可能にするように操作可能である、請求項６、７又は８に記載のポータブル掃除用器具。
【請求項１０】
第１及び第２の部分が、一旦解除された場合に互いとの関係において摺動自在である、請求項９に記載のポータブル掃除用器具。
【請求項１１】
前記第１及び第２の部分の一方が、前記第１及び第２の部分の他方の内部で摺動自在である、請求項１０に記載のポータブル掃除用器具。
【請求項１２】
リンケージ部材がさらに、第１及び第２の部分を保持位置に向かって促すように配置された弾性部材を含む、請求項６〜１１のいずれか一項に記載のポータブル掃除用器具。
【請求項１３】
ノズルとハンドルが、第１の位置にある場合に主本体の中に少なくとも部分的にリセスしている、請求項１〜１２のいずれか一項に記載のポータブル掃除用器具。
【請求項１４】
ノズルの遠位端部にある吸込口と、この吸込口を通って吸込まれた空気流から汚れ及び破片を分離するため吸込口の下流側にある分離装置とを含む手持ち式電気掃除機の形をした、請求項１〜１３のいずれか一項に記載のポータブル掃除用器具。
【発明の詳細な説明】
【技術分野】
【０００１】
本発明は、ポータブル掃除用器具に関する。より詳細には、本発明は、各々引込み位置と使用時位置の間で移動可能であるノズルと把持可能なハンドルとを含む掃除用器具に関する。
【背景技術】
【０００２】
公知のタイプのポータブル掃除用器具は、手持ち式電気掃除機である。一般的タイプは、登録商標Ｄｕｓｔｂｕｓｔｅｒ（商標）としてＢｌａｃｋ  ａｎｄ  Ｄｅｃｈｅｒ社により製造されているものである。このような手持ち式電気掃除機は、遠位端部に吸込口を伴う主本体を有している。空気流から汚れや塵埃を分離するため、吸込ノズルが吸込口から集塵袋まで延在している。主本体内には電源と共にモーターとファン機構も具備されている。一般に、主本体の後部には把持可能なハンドルがある。
【０００３】
手持ち式電気掃除機の別の形態は、Ｄｕｓｔｂｕｓｔｅｒ  Ｐｉｖｏｔ（登録商標）としてＢｌａｃｋ  ａｎｄ  Ｄｅｃｈｅｒ社により製造されているものである。このような手持ち式電気掃除機は、固定式で把持可能なハンドルを含む主本体を含んでいる。吸込口はサイクロン分離器などの分離装置まで導く吸込ノズルの遠位端部にある。この配置では、吸込ノズルは、保管位置と表面清掃に使用できる位置の間で移動できるよう主本体との関係において枢動するように操作可能である。
【発明の概要】
【０００４】
本発明の一態様によると、主本体、ノズル及び把持可能なハンドルを含むポータブル掃除用器具において、ノズルとハンドルが各々主本体との関係において、主本体に隣接する第１の保管位置とノズルとハンドルが主本体から延在している第２の使用時位置との間で移動可能であるポータブル掃除用器具であって、使用時にノズル及びハンドルのうちの一方の第１及び第２の位置の間での動作によって、ノズルとハンドルのうちの他方のものの第１及び第２の位置の間での対応する連成動作が引き起こされるような形で配置されたリンケージ部材によってノズルとハンドルが連結されている、ポータブル掃除用器具が提供されている。
【０００５】
このような配置を提供することによって、ノズルとハンドルの両方を、これら要素の一方の単一の動作に伴って展開し折畳むことができる。その結果、ユーザーにとって都合の良い円滑な操作及び、保管位置と使用時位置の間の円滑かつ迅速な遷移が得られる。
【０００６】
一実施形態において、ノズル及びハンドルは、各々、それぞれの回転軸を中心として主本体に対し枢動可能に連結されている。枢動可能な連結は堅牢で機械的効率が高く、それぞれの構成要素の円滑な動作を提供する。
【０００７】
一実施形態において、リンケージ部材は、それぞれの回転軸の各々から半径方向に離隔された点においてノズルとハンドルの間で直接連結されている。この配置により、ノズルとハンドルの各々に適切なモーメントを加え、その間の連成運動を支援することが可能となる。
【０００８】
一実施形態では、掃除用器具は、第１及び第２の位置のうち少なくとも１つにおいてノズルとハンドルを解除可能な形でロックするように操作可能であるユーザー操作可能なキャッチ機構をさらに含む。キャッチ機構を提供することにより、ノズルとハンドルを、ユーザーからの追加の入力無く清掃のための使用時形態に保持するか、又は堅牢性のために保管形態に保持することができる。
【０００９】
一実施形態では、弾性部材がリンケージ部材と主本体の間に連結され、キャッチ機構が解除された時点でノズルとハンドルを第１及び第２の位置のうちの１つに向かって付勢するように配置されている。このような配置を提供することにより、ノズルとハンドルは、一方の形態に向かって促され、その間の遷移においてユーザーを支援する。
【００１０】
一実施形態において、リンケージ部材は、保持機構により互いとの関係において保持位置に解除可能な形で保持された第１及び第２の部分を含んでいる。リンケージ部材の部品の間にこのような解除可能な連結を提供することにより、リンケージ部材を横断して加えられた過度の力は、リンケージ部材の部品を破断させるのではなく、むしろこれらの部品を互との関係において移動させることになる。
【００１１】
一実施形態において、保持機構には、第１及び第２の部分の一方の上にある第１の保持要素と第１及び第２の部分の他方の上にある補足的第２の保持要素とが含まれている。この配置により、第１及び第２の部分を互いに対し高い信頼性で保持することが可能になる。
【００１２】
一実施形態において、前記第１の保持要素はリセスを含み、第２の保持要素はリセスと係合可能な突出部を含む。この形態は、機械的に強靭で、製造が容易でありかつ堅牢である。
【００１３】
一実施形態において、保持機構は、第１及び第２の部分の間に加えられる力が既定の閾値を上回った場合に第１及び第２の部分を保持位置から解除して、その間の相対的動作を可能にするように操作可能である。この形態は、それを超える部品が互いとの関係において移動して損傷を防ぐ既定の「誤用力」を提供する。
【００１４】
一実施形態において、第１及び第２の部分は、一旦解除された場合に互いとの関係において摺動自在である。これは、要素がその原位置に容易に復帰できるようにする都合の良い配置である。
【００１５】
一実施形態において、前記第１及び第２の部分の一方は、前記第１及び第２の部分の他方の内部で摺動自在である。これは、コンパクトで堅牢な配置である。
【００１６】
一実施形態において、リンケージ部材はさらに、第１及び第２の部分を保持位置に向かって促すように配置された弾性部材を含む。これは、一旦誤用力が加わった場合に、部品を保持位置まで復帰させるのを援助する。
【００１７】
一実施形態において、ノズルとハンドルは、第１の位置にある場合に主本体の中に少なくとも部分的にリセスしている。これにより、コンパクトで、堅牢でかつ美しい外観が得られる。
【００１８】
一実施形態において、ノズルとハンドルの少なくとも一部分は、第１の位置にある場合、本主体と実質的に同一平面内にある。こうして、掃除用器具を一定の形状及び形態範囲内で提供することができ、損傷に対する耐性はさらに高くなる。
【００１９】
一実施形態において、掃除用器具は、ノズルの遠位端部にある吸込口と、この吸込口を通って吸込まれた空気流から汚れ及び破片を分離するため吸込口の下流側にある分離装置とを含む手持ち式電気掃除機の形をしている。
【００２０】
本発明の実施形態についてここで、添付図面を参照しながら説明する。
【図面の簡単な説明】
【００２１】
【図１】本発明の実施形態に係る手持ち式電気掃除機を使用時形態で示す斜視図である。
【図２】保管形態の図１の手持ち式電気掃除機の斜視図である。
【図３】使用時形態の図１の手持ち式電気掃除機の平面図である。
【図４】使用時形態の図１の手持ち式電気掃除機の側面図である。
【図５】図１の手持ち式電気掃除機の一部を成す保持形態のリンケージ機構を示す、図３のラインＡ−Ａに沿って切り取った断面側面図である。
【図６】解除形態のリンケージ機構を示す、図１の手持ち式電気掃除機の、図３のラインＡ−Ａに沿って切り取った断面側面図である。
【図７】保持形態のリンケージ機構を示す、保管形態の図１の手持ち式電気掃除機の別の断面側面図である。
【発明を実施するための形態】
【００２２】
本発明は、掃除用器具が公知の配置に比べてよりコンパクトかつ堅牢である保管位置と、ユーザーが掃除用器具を快適に扱うことのできる使用時位置と、の間で移動可能な把持可能なハンドル及び吸込ノズルの両方を提供するように操作可能であるポータブル掃除用器具を提供している。さらに、本発明は、保管位置と使用時位置の間で効率良く使用が容易な信頼性の高い遷移を可能にするための分かりやすい操作機序を提供している。
【００２３】
図１〜４は、手持ち式電気掃除機１００を示す。手持ち式電気掃除機１００は、吸込ノズル１０４及び把持可能なハンドルが取付けられている主本体１０２を含む。吸込ノズル１０４はその遠位端部に吸込口１０８を含んでいる。
【００２４】
ハンドル１０６は、ユーザーの手のサイズに合うように寸法決定され、使用時に手持ち式電気掃除機１００を扱うことができるように配置されている。ハンドル１０６は、ユーザーが手持ち式電気掃除機１００をオンオフ切換えできるようにする電源スイッチ１１０を含む。電源スイッチ１１０は、ユーザーが、手持ち式電気掃除機１００を把持している手の親指でこのスイッチを操作できるように位置づけされている。
【００２５】
吸込ノズル１０４とハンドル１０６は、保管位置と使用時位置の間で移動可能である。図１、３及び４は、吸込ノズル１０４及びハンドル１０６の各々が展開された使用時位置にある使用時形態で、手持ち式電気掃除機１００を示している。図２は、吸込ノズル１０４とハンドル１０６の各々が折畳まれた保管位置にある保管形態の手持ち式電気掃除機を示している。
【００２６】
吸込ノズル１０４及びハンドル１０６は、吸込ノズル１０４とハンドル１０６が各々保管位置にある（図２に示した通り）場合に主本体１０２の形状に実質的に沿っていて、こうして保管のための堅牢でコンパクトな形態そしてユーザーにとって快適な外観を提供するような形で、整形されている。この点に関して、主本体１０２は、吸込ノズル１０４とハンドル１０６が少なくとも部分的に主本体１０２内にリセスするような形でそれぞれの吸込ノズル１０４とハンドル１０６を収容するように少なくとも部分的に適応されたリセス１１２、１１４を含む。さらに、吸込ノズル１０４とハンドル１０６の部品は、主本体１０２と実質的に同一平面内にある。
【００２７】
主本体１０２は、吸込口１０８を通して吸込まれた空気流から汚れ及び破片を分離するための分離装置１１６を含む。分離装置１１６は、吸込ノズル１０４の内部を通って吸込口１０８と流体連通状態にある。分離装置１１６は、任意の適切な分離機構、例えば慣性集塵器、機械式フィルター、多孔質袋、サイクロン分離器又はそれらの組合せを含んでいてよい。
【００２８】
分離装置１１６は、主本体１０２の内部に分離された汚れ及び破片を収集するために操作可能である。この点に関して、分離装置１１６は、分離装置１１６から収集された汚れ及び破片を容易に排出できるように開放可能な可動式カバー１１８を含んでいる。
【００２９】
主本体１０２は同様に、分離装置１１６の下流側のモーター及びファン機構（図示せず）、ならびに主本体１０２から空気を排出するための排気口１２０（図３に最も良く示されている）も含んでいる。手持ち式電気掃除機１００を通る空気流経路は、吸込口１０８から吸込ノズル１０４、分離装置１１６、モーター及びファン機構を通り、排気口１２０まで延在し、この排気口において空気流は手持ち式電気掃除機１００の主本体１０２から排出される。
【００３０】
モーターとファン機構に動力を供給するための電源（図示せず）も、主本体１０２の内部にある。この実施形態において、電源は、主本体１０２の内部にあるバッテリー群の形をとる。手持ち式掃除用器具をバッテリー電源式にして広範囲の表面及び場所を清掃できることが一般に有用である。しかしながら、代替的には、手持ち式電気掃除機１００に別の供給源、例えば家庭用コンセント又は自動車バッテリーの車内接続により電力を供給してもよい。
【００３１】
吸込ノズル１０４とハンドル１０６の動作を可能にするための機序について、ここで図５〜７を参照しながら説明する。吸込ノズル１０４は、ピボット１２２を用いて主本体１０２に枢動可能に連結され、ピボット１２２を通る軸線Ｘ−Ｘ（これは図３及び４にも示されている）を中心にして保管位置と使用時位置の間で枢動可能である。
【００３２】
付随して、ハンドル１０６は、ピボット１２４を用いて本体１０２に対し枢動可能に連結されており、ピボット１２４を通る軸線Ｙ−Ｙ（これは図３及び４にも示されている）を中心にして保管位置と使用時位置の間で枢動可能である。この実施形態において、軸線Ｘ−Ｘ及びＹ−Ｙは、互いに平行であるが、そうである必要はない。
【００３３】
吸込ノズル１０４とハンドル１０６の間にリンケージ機構１２６が直接的に連結されている。換言すると、リンケージ機構１２６は、主本体１０２に直接連結されず、本質的にそれとは独立した形で可動である。
【００３４】
リンケージ機構１２６は、第１の部分１３０と第２の部分１３２を有するリンケージ部材１２８を含む。第１の部分１３０は第１のリンケージ連結を中心にして吸込ノズル１０４に連結されている。第１のリンケージ連結１３４は、リンケージ部材１２８が吸込ノズル１０４との関係において軸Ｌ１を中心として回転できるようにする枢動可能な連結を含む。第１のリンケージ連結１３４は、以下で説明する通り、軸線Ｘ−Ｘから（ひいてはピボット１２２から）半径方向に離隔されている。したがって、軸線Ｘ−Ｘ及びＬ１は互いに平行であり、かつ離隔されている。
【００３５】
第２の部分１３２は、第２のリンケージ連結１３６を中心にしてハンドル１０６に連結されている。第２のリンケージ連結１３６は、ハンドル１０６との関係において軸Ｌ２を中心としてリンケージ部材１２８が回転できるようにする枢動可能な連結を構成する。第２のリンケージ連結１３４は、以下に説明するように、軸線Ｙ−Ｙから（ひいてはピボット１２４から）半径方向に離隔されている。したがって、軸線Ｙ−ＹとＬ２は互いに平行でありかつ離隔されている。
【００３６】
この実施形態において、軸線Ｘ−Ｘ、Ｙ−Ｙ、Ｌ１及びＬ２は全て互いに実質的に平行であるが、そうである必要はない。
【００３７】
リンケージ機構１２６は、吸込ノズル１２４及びハンドル１０６が一緒に可動であるようにすることができる。換言すると、リンケージ機構１２６は、吸込ノズル１０４及びハンドル１０６の一方の動作が、吸込ノズル１０４とハンドル１０６のうちの他方の対応する連成動作を引き起こすような形で構成されている。これにより、ユーザーは、例えばハンドル１０６を保管位置から使用時位置へと（又はその逆に）移動させ、吸込ノズル１０４の対応する動作を引き起こすことができる。したがって、手持ち式電気掃除機１００は、単一の動作でいつでも使用できる状態となる（また代替的には保管形態に置く）ことができる。これはユーザーにとって便利なことである。
【００３８】
この１つの態様は、ピボット軸線Ｘ−Ｘ、Ｙ−Ｙから半径方向に隔離された点におけるハンドル１０６と吸込ノズル１０４の間のリンケージ部材１２８の連結によりもたらされる。このことはすなわち、例えばハンドル１０６の動作の時点で、第２のリンケージ連結１３６とピボット１２４の間にモーメントが結果としてもたらされ、リンケージ部材１２８を主本体１０２との関係において移動させるということを意味する。その結果、（第２のリンケージ連結１３４の位置設定の結果として）軸線Ｙ−Ｙを中心とする吸込ノズル１０４上に対応するモーメントが発生し、その結果吸込ノズル１０４は移動させられる。
【００３９】
ユーザーにとってさらに便利になるように、リンケージ機構１２６は、吸込ノズル１０４とハンドル１０６を保管位置又は使用時位置の一方へ付勢するように構成されている。この実施形態において吸込ノズル１０４及びハンドル１０６は、保管位置へと付勢されている。しかしながら、これらの要素を使用時位置に付勢することも同様に可能である。
【００４０】
この点に関して、リンケージ機構１２６は、リンケージ部材１２８の一部と主本体１０２の間に延在するコイルバネの形をした弾性部材１３８を含む。吸込ノズル１０４とハンドル１０６が使用時位置（図５に示されている通り）に移動させられた場合、リンケージ部材１２８は（図５との関係において）全体に下方へ移動する。したがって、コイルバネ１３８は張力を受けた状態になる。
【００４１】
その結果、この形態では、コイルバネ１３８はリンケージ部材１２８を（図５との関係において）全体として上の方向に引くための力をリンケージ部材１２８に加える。この力は吸込ノズル１０４とハンドル１０６を保管位置に戻るように移動させるべく作用する。
【００４２】
吸込ノズル１０４とハンドル１０６を使用時位置に保持してユーザーが手持ち式電気掃除機１００を使用できるようにするために、キャッチ機構１４０が具備されている。キャッチ機構１４０は、ハンドル１０６上にあるシリンダ１４７の表面内に形成された相補的リセス１４６と係合するように作動可能な突出部１４４を有する直線的に移動可能なキャッチアーム１４２を含む。シリンダ１４６は軸線Ｙ−Ｙのまわりにある。
【００４３】
キャッチアーム１４２は、バネ（図示せず）によって（図５との関係において）上方へ付勢されており、こうしてハンドル１０６（及び吸込ノズル１０４）が完全に使用時位置へと展開された場合に突出部１４４がリセス１４６と係合してハンドル１０６及び吸込ノズル１０４を使用時位置に保持（又はロック）するようになっている。
【００４４】
キャッチ機構１４０はさらに、キャッチアーム１４２の上端部にユーザーが操作できるボタン１４８を含む。ボタン１４８は、それを押し下げることで突出部１４４がリセス１４６から離れるように移動し吸込ノズル１０４とハンドル１０６を使用時位置から解除するような形で、バネの付勢力に対抗してユーザーが押し下げることのできるものである。これが行なわれた場合、リンケージ部材１２８に作用するコイルバネ１３８の付勢力は、吸込ノズル１０４とハンドル１０６の両方をそのそれぞれの保管位置まで移動させる。この遷移の性質（例えば遷移速度）は、コイルバネ１３８のバネ力を調整することによって調整可能である。
【００４５】
吸込ノズル１０４又はハンドル１０６の一方がなおも保持されている間にユーザーがこれらの要素の他方を強制的に下げようと試みる可能性がある。これは例えば、ボタン１４８を押し下げる必要があることをユーザーが認識しておらず、吸込ノズル１０４を保管位置に強制的に戻そうと試みるかもしれない場合に発生するかもしれない。このような力の付加は、圧縮力を受けることになるリンケージ部材１２８に対する損傷を導くかもしれない。
【００４６】
リンケージ機構１２６そして特にリンケージ部材１２８に対する損傷の危険性を低減させるために、第１及び第２の部分１３０、１３２は互いとの関係において可動であり、保持機構１５０によって互いとの関係において解除可能な形で保持されている。
【００４７】
第１の部分１３０は、第２の部分１３２の内部に摺動するように配置される。このことは、図５及び図６を比較することでわかる（ここで図６は、第１と第２の部分１３０、１３２が互いに内部に摺動させられたところを示している）。
【００４８】
保持機構１５０は、リンケージ部材１２８を横断して特定の力（「誤用力」）が加えられるのでないかぎり第１及び第２の部分１３０、１３２が互いとの関係において摺動するのを防ぐために具備されている。保持機構１５０は、第２の部分１３２の中に形成された一対の相補的リセス１５４と係合する第１の部分１３０上に形成された一対の突出部１５２を含む。
【００４９】
突出部１５２とリセス１５４は摩擦及びそれぞれの部品の形状によって所定の位置に保持される。したがって、保持機構１５０は、加わる誤用力が第１及び第２の部分１３０、１３２の材料（この場合ナイロン又はプラスチック）を変形させるのに必要な力を上回り、したがって突出部１５２がリセス１５４から外へと移動して第１及び第２の部分１３０、１３２の間の摺動自在動作を可能にすることができる場合にのみ解除されて、第１及び第２の部分１３０、１３２が保持機構との関係において移動できるように解除する。第１及び第２の部分１３０、１３２の摺動自在な動作は、誤用力が加わった場合のリンケージ部材１２８の破損を防ぐ。
【００５０】
一旦解除された時点で保持位置まで第１及び第２の部分が戻るのを補助するため、保持機構１５０はさらに、コイル圧縮バネの形をした弾性部材１５６を含む。このバネ１５６は、リンケージ部材１２８の長さに沿って力を加えて、第１及び第２の部分を保持位置（図５に示されている通りの）に向かって付勢する。
【００５１】
バネ１５６は同様に、突出部１５２／リセス１５４連結の材料力を援助し、この機序が偶発的に外れるのを防ぐため高い誤用力を提供するためにも使用可能である。バネ力は構造的材料の特性よりも容易に調整可能であることから、これにより、誤用力閾値の正確な微調整のための機序も提供される。
【００５２】
使用時、手持ち式電気掃除機１００は、当初図２に示されている通りの保管形態にある確率が高い。したがって、ユーザーは、ハンドル１０６又は吸込ノズル１０４の一方を上向きに持ち上げて手持ち式電気掃除機１００を使用時形態にする。リンケージ機構１２６に起因して、ハンドル１０６又は吸込ノズル１０４の一方の動作は、他方の要素に対応する動作を引き起こし、これは、手持ち式電気掃除機１００を１つの動作で使用時形態に置くことができることを理由として、ユーザーにとって便利である。
【００５３】
ハンドル１０６及び吸込ノズル１０４が使用時位置に完全に展開された場合、キャッチ機構１４０の突出部１４４はシリンダ１４７のリセス１４６と係合して、ハンドル１０６及び吸込ノズル１０４を使用時位置に保持する。換言すると、手持ち式電気掃除機１００はこのとき、いつでも使用可能な状態になる。
【００５４】
ユーザーはこのとき電源スイッチ１１０を押してモーター及びファンユニットを作動させて、汚れ及び破片を含む空気流を吸込ノズル１０４を通って吸込口１０８内へそして汚れ及び破片が収集される分離装置１１６内に吸込ませることができる。空気は次にモーター及びファンユニットを通過し、排気口１１６を通って主本体１０２から排出される。
【００５５】
ユーザーが清掃作業を完了した時点で、手持ち式電気掃除機１００は、便利でコンパクトな保管のため、図２に示されている保管形態に戻され得る。これは、ユーザーがボタン１４８を押しこのボタンがリセス１４６から突出部１４４を解除することにより行なわれる。吸込ノズル１０４とハンドル１０６は次に、コイルバネ１３８の復元力の付勢下で保管位置まで戻るよう促される。この復元力は同様に吸込ノズル１０４及びハンドル１０６をそれぞれの保管位置に維持する。換言すると、コイルバネ１３８は、例えばユーザーが保管形態にある手持ち式電気掃除機１００を逆転させた場合でも、吸込ノズル１０４及びハンドル１０６を主本体１０２に向かって付勢する。
【００５６】
上述の実施形態の変形形態が、当業者には明らかである。構成要素の精確な形態は異なっていてもよく、それでもなお本発明の範囲内に入る。
【００５７】
例えば、ハンドル及び吸込ノズルは、枢動可能でなくてよく、例えばカム又は摺動連結の使用を通して、異なる形態で可動であってよい。さらに、ハンドル及び吸込ノズルは、使用時位置に向かって付勢され、保管位置で保持されてよい。
【００５８】
さらに、リンケージ部材は２つの区分を含む必要はなく、その代り単一の区分を含んでいてよい。
【００５９】
さらに、本発明は手持ち式電気掃除機に限定されない。例えばカーペットクリーナー、湿式及び乾式機械又はブロワバキューム装置などの他タイプのポータブル掃除用器具に使用できると考えられる。
【００６０】
図示された実施例を特に参照しながら、本発明の実施形態について記述してきた。具体的な例が図面中で示され本明細書中に詳述されているが、図面及び詳細な説明は、開示された特定の形態に本発明を限定するように意図されたものではないということを理解すべきである。本発明の範囲内で記述されている実施例に対し、変更及び修正を加えてよい、ということが認識される。
【図１】
0005894011.tif 000002
【図２】
0005894011.tif 000003
【図３】
0005894011.tif 000004
【図４】
0005894011.tif 000005
【図５】
0005894011.tif 000006
【図６】
0005894011.tif 000007
【図７】
0005894011.tif 000008